(57)【要約】【課題】照明装置に他の電子機器を設ける場合に従来よりも回路構成を減縮することができる照明点灯装置及び照明装置を提供する。【解決手段】照明点灯装置１において、第１の制御電源回路３０は、制御電圧を生成する。コンデンサＣは、第１の制御電源回路３０の出力電圧を受ける。第２の制御電源回路４０は、コンデンサＣの出力電圧を降圧する。第１の制御回路５０は、電圧変換回路２０を制御する。電子機器制御回路７０は、電子機器４が接続されている。入力端子１０が備える１つの端子は、第１の制御電源回路３０に電力を供給するとともに電子機器制御回路７０に接続される共通端子として、電子機器制御回路７０を介して、電子機器４に接続されている。第２の制御回路６０は、入力された交流電圧の中断時間が所定時間以内であると検出した場合に、電子機器制御回路７０に電子機器４への交流電圧の供給のＯＮ/ＯＦＦ状態を切り替えさせる。【選択図】図１
2018107111.tif 000002
【特許請求の範囲】
【請求項１】
交流電圧を入力する入力端子と、
交流電圧を電圧変換して光源に供給する電圧変換回路と、
制御電圧を生成するリニアレギュレータ回路からなる第１の制御電源回路と、
前記第１の制御電源回路の出力電圧を受けるコンデンサと、
前記コンデンサの出力電圧を降圧する第２の制御電源回路と、
前記第１の制御電源回路の出力電圧によって動作し、前記電圧変換回路を制御するための第１の制御回路と、
前記第２の制御電源回路の出力電圧によって動作し、前記入力端子から入力される交流電圧の入力状態を検出可能な第２の制御回路と、
電子機器が接続されており、前記電子機器への交流電圧の供給のＯＮ/ＯＦＦ状態を切り替えるための電子機器制御回路とを備え、
前記入力端子が備える１つの端子は、前記第１の制御電源回路に電力を供給するとともに前記電子機器制御回路に接続される共通端子として、前記電子機器制御回路を介して、前記電子機器に接続されており、
前記第２の制御回路は、入力された交流電圧の中断時間が所定時間以内であると検出した場合に、前記電子機器制御回路に前記電子機器への交流電圧の供給のＯＮ/ＯＦＦ状態を切り替えさせる
照明点灯装置。
【請求項２】
前記電子機器はファンであり、
前記電子機器制御回路は、前記ファンを動作又は停止させるように、前記ファンへの交流電圧の供給のＯＮ/ＯＦＦ状態を切り替える
請求項１記載の照明点灯装置。
【請求項３】
前記第２の制御回路は、前記電子機器制御回路に対する制御信号を生成可能なマイコンを備え、前記マイコンは、入力された交流電圧の中断時間が所定時間以内であると検出した場合に、生成する当該制御信号を変更する
請求項１又は２記載の照明点灯装置。
【請求項４】
前記第１の制御電源回路は、交流電圧から前記制御電圧を生成する
請求項１〜３の何れか１項記載の照明点灯装置。
【請求項５】
入力された交流電圧を整流する整流回路をさらに備え、
前記第１の制御電源回路は、前記整流回路で整流された直流電圧から前記制御電圧を生成する
請求項１〜３の何れか１項記載の照明点灯装置。
【請求項６】
前記第１の制御電源回路は、飽和領域で動作するトランジスタと、定電圧ダイオードとを含み、第１の定電圧を出力電圧として生成する
請求項１〜５の何れか１項記載の照明点灯装置。
【請求項７】
前記コンデンサは、前記交流電圧の入力が停止している状態において、前記所定時間以上の期間内に前記第２の制御回路の動作を維持可能な容量値を有する
請求項１〜６の何れか１項記載の照明点灯装置。
【請求項８】
前記第２の制御電源回路は、三端子レギュレータを含み、前記第１の制御電源回路の出力電圧である第１の定電圧より低い第２の定電圧を出力電圧として生成する
請求項１〜７の何れか１項記載の照明点灯装置。
【請求項９】
前記電子機器制御回路は、フォトカプラとトライアックを含み、
前記第２の制御回路は、入力された交流電圧の中断時間が所定時間以内であると検出した場合に、前記フォトカプラに出力する制御信号のハイ/ローレベルを切り替えて、前記フォトカプラのＯＮ/ＯＦＦ状態を切り替えることにより、前記トライアックのＯＮ/ＯＦＦ状態を切り替えて、前記電子機器への交流電圧の供給のＯＮ/ＯＦＦ状態を切り替える
請求項１〜８の何れか１項記載の照明点灯装置。
【請求項１０】
請求項１〜９の何れか１項記載の照明点灯装置と、
前記照明点灯装置の前記電圧変換回路の出力電力に基づいて点灯する光源と、
前記照明点灯装置の前記電子機器制御回路により電力供給が制御される前記電子機器とを備える
照明装置。
【発明の詳細な説明】
【技術分野】
【０００１】
本発明は、照明点灯装置及び照明装置に関し、特には、光源と電子機器の両方に対し電力を供給する照明点灯装置及び照明装置に関する。
【背景技術】
【０００２】
住居やオフィスなどに設置される照明用の照明装置などにおいて、照明装置の光源の点灯のために、例えば商用電源から入力された交流電力を、その光源への電力供給に適するように変換する照明点灯回路を備える。また、照明装置の機能の多様化につれて、照明装置にファン等の他の電子機器を設ける要望がある。この場合、他の電子機器に対し電力を供給する回路も必要となる。
【０００３】
そこで、従来、他の電子機器に対して電力を供給する機能を備える照明点灯装置として、様々な技術が提案されている（例えば、特許文献１参照）。特許文献１では、光源に対し電力を供給する回路と、他の電子機器として空冷ファンに対し電力を供給する回路とがそれぞれ設けられている。
【先行技術文献】
【特許文献】
【０００４】
【特許文献１】特開２０１４−１３９９０１号公報
【発明の概要】
【発明が解決しようとする課題】
【０００５】
特許文献１に開示された従来技術において、前記のように照明装置に他の電子機器を設ける場合に、光源に対し電力を供給する回路と他の電子機器に対し電力を供給する回路とがそれぞれ設けられており、回路構成が複雑となる。
【０００６】
さらに、最近、光源の調光、調色等を行うための制御回路をさらに備える照明装置が多くなる。また、照明装置に他の電子機器を設ける場合に、光源と独立して他の電子機器を制御し、例えば光源のＯＮ/ＯＦＦと独立して他の電子機器のＯＮ/ＯＦＦを制御する要望がある。この場合、他の電子機器を制御するための制御回路も必要となる。よって、照明装置の回路構成がさらに複雑となり、部品のコストの向上と照明点灯回路のサイズの増大に繋がる。これに対し、照明装置に他の電気機器を設ける場合に、従来よりも回路構成を減縮することができる新規なものが必要となる。
【０００７】
本発明は、以上の課題を解決するために、照明装置に他の電子機器を設ける場合に従来よりも回路構成を減縮することができる照明点灯装置及び照明装置を提供することを目的とする。
【課題を解決するための手段】
【０００８】
上記目的を達成するため、本発明の一態様に係る照明点灯装置は、交流電圧を入力する入力端子と、交流電圧を電圧変換して光源に供給する電圧変換回路と、制御電圧を生成するリニアレギュレータ回路からなる第１の制御電源回路と、前記第１の制御電源回路の出力電圧を受けるコンデンサと、前記コンデンサの出力電圧を降圧する第２の制御電源回路と、前記第１の制御電源回路の出力電圧によって動作し、前記電圧変換回路を制御するための第１の制御回路と、前記第２の制御電源回路の出力電圧によって動作し、前記入力端子から入力される交流電圧の入力状態を検出可能な第２の制御回路と、電子機器が接続されており、前記電子機器への交流電圧の供給のＯＮ/ＯＦＦ状態を切り替えるための電子機器制御回路とを備え、前記入力端子が備える１つの端子は、前記第１の制御電源回路に電力を供給するとともに前記電子機器制御回路に接続される共通端子として、前記電子機器制御回路を介して、前記電子機器に接続されており、前記第２の制御回路は、入力された交流電圧の中断時間が所定時間以内であると検出した場合に、前記電子機器制御回路に前記電子機器への交流電圧の供給のＯＮ/ＯＦＦ状態を切り替えさせる。
【０００９】
本発明の上記態様に係る照明点灯装置によれば、回路構成の共通化及び連携により、光源に対する制御回路と他の電子機器に対する制御回路とを含む複数の制御回路に制御電圧を提供するとともに、電源に対する簡単なスイッチ操作に応じて他の電子機器を動作又は停止させることができる。これにより、部品コストの低減や、消費電力の低減、装置サイズの小型化を実現することができる。
【００１０】
本発明の一態様に係る照明点灯装置において、前記電子機器はファンであり、前記電子機器制御回路は、前記ファンを動作又は停止させるように、前記ファンへの交流電圧の供給のＯＮ/ＯＦＦ状態を切り替えてもよい。
【００１１】
これにより、電源に対する簡単なスイッチ操作に応じてファンを動作又は停止させることができ、利便性の向上に繋がる。
【００１２】
本発明の一態様に係る照明点灯装置において、前記第２の制御回路は、前記電子機器制御回路に対する制御信号を生成可能なマイコンを備え、前記マイコンは、入力された交流電圧の中断時間が所定時間以内であると検出した場合に、生成する当該制御信号を変更してもよい。
【００１３】
これにより、簡単な回路構成で、交流電圧の入力の中断を監視して、対応する制御信号を生成することができる。
【００１４】
本発明の一態様に係る照明点灯装置において、前記第１の制御電源回路は、交流電圧から前記制御電圧を生成してもよい。
【００１５】
これにより、簡単な回路構成で、後段の制御回路に電力を供給する制御電圧を生成することができる。
【００１６】
本発明の一態様に係る照明点灯装置において、入力された交流電圧を整流する整流回路をさらに備え、前記第１の制御電源回路は、前記整流回路で整流された直流電圧から前記制御電圧を生成してもよい。
【００１７】
これにより、整流された直流電圧から、後段の制御回路に電力を供給する制御電圧を生成することができる。
【００１８】
本発明の一態様に係る照明点灯装置において、前記第１の制御電源回路は、飽和領域で動作するトランジスタと、定電圧ダイオードとを含み、第１の定電圧を出力電圧として生成してもよい。
【００１９】
これにより、安定した制御電圧を供給するとともに、消費電力の低減や、装置全体のエネルギー効率の向上を実現することができる。
【００２０】
本発明の一態様に係る照明点灯装置において、前記コンデンサは、前記交流電圧の入力が停止している状態において、前記所定時間以上の期間内に前記第２の制御回路の動作を維持可能な容量値を有してもよい。
【００２１】
これにより、電源の交流電圧の入力が停止した場合にも、所定時間内に第２の制御回路の正常動作を維持することができる。よって、第２の制御回路は、電源の交流電圧が前記所定時間内に回復したか否かを検出することにより、電源から入力された交流電圧の中断時間が前記所定時間以内であることを検出することができる。
【００２２】
本発明の一態様に係る照明点灯装置において、前記第２の制御電源回路は、三端子レギュレータを含み、前記第１の制御電源回路の出力電圧である第１の定電圧より低い第２の定電圧を出力電圧として生成してもよい。
【００２３】
これにより、簡単な回路構成で、制御電圧の降圧及び安定した電圧出力を実現することができる。
【００２４】
本発明の一態様に係る照明点灯装置において、前記電子機器制御回路は、フォトカプラとトライアックを含み、前記第２の制御回路は、入力された交流電圧の中断時間が所定時間以内であると検出した場合に、前記フォトカプラに出力する制御信号のハイ/ローレベルを切り替えて、前記フォトカプラのＯＮ/ＯＦＦ状態を切り替えることにより、前記トライアックのＯＮ/ＯＦＦ状態を切り替えて、前記電子機器への交流電圧の供給のＯＮ/ＯＦＦ状態を切り替えてもよい。
【００２５】
これにより、第２の制御回路の制御信号に基づき電子機器への交流電圧の供給のＯＮ/ＯＦＦ状態を切り替えることができ、さらに、フォトカプラを利用して、電子機器制御部分と光源制御部分とを隔離することができる。
【００２６】
本発明の一態様に係る照明装置は、上記のいずれかの態様に係る照明点灯装置と、前記照明点灯装置の前記電圧変換回路の出力電力に基づいて点灯する光源と、前記照明点灯装置の前記電子機器制御回路により電力供給が制御される前記電子機器とを備える。
【００２７】
これにより、前記各態様に係る照明点灯装置に対応する効果が得られる。
【発明の効果】
【００２８】
本発明により、照明装置に他の電子機器を設ける場合に従来よりも回路構成を減縮することができる照明点灯装置及び照明装置が提供される。
【図面の簡単な説明】
【００２９】
【図１】本発明の第１実施形態に係る照明点灯装置及び照明装置の基本構成を模式的に示す回路ブロック図である。
【図２】本発明の第１実施形態に係る照明点灯装置における第１の制御電源回路の１つの具体例を示す回路図である。
【図３】本発明の第１実施形態に係る照明点灯装置における第２の制御電源回路の１つの具体例を示す回路図である。
【図４】交流電圧が停止した場合におけるコンデンサの出力電圧を模式的に示す波形図である。
【図５】本発明の第１実施形態に係る照明点灯装置における電子機器制御回路の１つの具体例を示す回路図である。
【図６】交流電圧の入力の中断に基づき電子機器への電力供給のＯＮ/ＯＦＦ状態を切り替えることを模式的に示す波形図である。
【図７】本発明の第２実施形態に係る照明点灯装置及び照明装置の基本構成を模式的に示す回路ブロック図である。
【図８】本発明の第３実施形態に係る照明点灯装置及び照明装置の基本構成を模式的に示す回路ブロック図である。
【図９】本発明の第４実施形態に係る照明装置の内部の配置レイアウトを示す模式図である。
【発明を実施するための形態】
【００３０】
以下、本発明の実施の形態について、図面を参照しながら説明する。以下に説明する実施の形態は、いずれも本発明の好ましい具体例を示すものである。したがって、以下の実施の形態で示される数値、形状、材料、構成要素、構成要素の配置位置及び接続形態等は、例示であって本発明を限定する主旨ではない。よって、以下の実施の形態における構成要素のうち、本発明の最上位概念を示す態様に記載されていない構成要素については、任意の構成要素として説明される。
【００３１】
なお、各図は、模式図であり、必ずしも厳密に図示されたものではない。また、各図において、実質的に同一又は均等の構成に対しては同一の符号を付しており、重複する説明は省略する。また、回路ブロック図及び回路図において、主な要素や特徴的な要素及びその接続関係のみを示し、他の要素及びその接続関係を省略する場合がある。なお、回路素子のパラメータ値について、特に記載がなければ、状況に応じて任意に選択することが可能である。
【００３２】
（第１実施形態）
まず、本発明の第１実施形態に係る照明点灯装置１及び照明装置１００の基本構成について、図１を用いて説明する。図１は、本発明の第１実施形態に係る照明点灯装置１及び照明装置１００の基本構成を模式的に示す回路ブロック図である。
【００３３】
図１に示すように、照明点灯装置１は、電源２から電力を受け、光源３へ電力を出力し、電子機器４への電力供給を制御する。即ち、照明装置１００は、照明点灯装置１と、照明点灯装置１の出力電力に基づいて点灯する光源３と、照明点灯装置１により電力供給が制御される電子機器４とを備える。ここで、電源２は例えば商用交流電源である。電源２から照明点灯装置１への入力電力は、例えばスイッチ（図示せず）のＯＮ/ＯＦＦ等に応じてＯＮ/ＯＦＦになることが可能である。光源３は、典型的には直流電圧又は直流電流に基づいて点灯するＬＥＤ（発光ダイオード素子）である。電子機器４は、例えばファンであり、そのファンは、例えばイオン発生装置（図示せず）で発生されたイオンを室内へ吹くために用いられる。光源３と電子機器４は、上記の例に限らず、状況に応じて任意に変更可能である。
【００３４】
図１に示すように、照明点灯装置１は主な構成として、入力端子１０と、電圧変換回路２０と、第１の制御電源回路３０と、コンデンサＣと、第２の制御電源回路４０と、第１の制御回路５０と、第２の制御回路６０と、電子機器制御回路７０とを備える。以下、各構成を具体的に説明する。
【００３５】
入力端子１０は、電源２から交流電圧が入力される。図１に示すように、入力端子１０は、例えば端子Ｎ、Ｈ、ＬＯＤの３つの端子を備える。端子Ｎ、Ｈの各々の一端（入力端）は、それぞれ電源２に接続されており、端子Ｎ、Ｈの各々の他の一端（出力端）は、照明点灯装置１に交流電圧を供給する。また、端子ＬＯＤの一端は、電子機器４に接続されており、端子ＬＯＤの他の一端と端子Ｈの上記の他の一端（出力端）とは、それぞれ電子機器制御回路７０に接続されている。
【００３６】
電圧変換回路２０は、入力端子１０から入力される交流電圧を電圧変換して、光源３に供給する。例えば、電圧変換回路２０は、整流回路と降圧回路とを含んでもよい（具体的な図示を省略）。整流回路は、入力される交流電圧に対し直流電圧に整流し、降圧回路は、整流された直流電圧を、光源３に適する電圧へ降圧する。整流回路は、従来の各種の回路構成を利用可能であり、例えば全波波形を生成する全波整流回路である。降圧回路は、従来の各種の回路構成を利用可能であり、例えばスイッチトランジスタとダイオードとインダクタとを含む降圧チョッパー回路である。
【００３７】
ただし、電圧変換回路２０は、これに限らず、交流−直流変換のみを行ってもよく、電圧変換のみを行ってもよい。電圧変換は、降圧に限らず、必要に応じて出力電圧を昇圧してもよい。また、図１に電圧変換回路２０が入力端子１０の端子Ｎ、Ｈの各々の出力端に接続されている例を示しているが、これに限らず、回路の干渉耐性を向上させるように、入力端子１０と電圧変換回路２０との間にフィルター回路等を接続してもよい。
【００３８】
第１の制御電源回路３０は、入力される交流電圧から、第１の定電圧ＶＣＣ１、例えば１９Ｖの直流電圧を生成する。図１に示すように、第１の制御電源回路３０は、入力端子１０の端子Ｈの入力端に接続されており、入力端子１０から入力される交流電圧で電力供給される。これにより、簡単な回路構成で、後段の制御回路に電力を供給する制御電圧を生成することができる。ただし、第１の制御電源回路３０の接続関係はこれに限らず、例えば、入力端子１０の後段にフィルター回路等の他の回路が設けられた場合に、第１の制御電源回路３０は、フィルター回路等の他の回路の出力側に接続されてもよい。
【００３９】
第１の制御電源回路３０は、制御電圧を生成するリニアレギュレータ回路からなる。図２は、本発明の第１実施形態に係る照明点灯装置１における第１の制御電源回路３０の１つの具体例を示す回路図である。図２に示すように、第１の制御電源回路３０は、飽和領域で動作するトランジスタＱ２と、定電圧ダイオードとしてのツェナーダイオードＺＤ１とを含み、第１の定電圧ＶＣＣ１を出力電圧として生成する。なお、トランジスタＱ２は、ベースとコレクタの各々が抵抗を介して入力電圧Ｖｉｎに接続されており、エミッタが第１の定電圧ＶＣＣ１を出力する。ツェナーダイオードＺＤ１は、カソードがトランジスタのベースに接続されており、アノードがグラウンドに接続されている。これにより、ツェナーダイオードＺＤ１の降伏電圧は、安定した第１の定電圧ＶＣＣ１として供給される。第１の制御電源回路３０に含まれる部品及びその接続関係は、上記の例に限らず、必要に応じて様々な変更が可能である。例えば、図２にトランジスタがＮＰＮトランジスタである例を示しているが、これに限らず、ＰＮＰトランジスタ又はＦＥＴ等であってもよい。
【００４０】
従来技術では、商用電源から入力される交流電圧を用いて制御電圧を生成するレギュレータ回路において、多数の抵抗を設けて降圧する場合が多い。しかし、レギュレータ回路における複数の抵抗で大量なエネルギーが消耗されてしまい、装置全体の消費電力が増加する。ここで、飽和領域で動作するトランジスタと、定電圧ダイオードとでリニアレギュレータ回路を構成することにより、安定した制御電圧を供給するとともに、消費電力の低減や、装置全体のエネルギー効率の向上を実現することができる。
【００４１】
図１に戻って説明を続ける。コンデンサＣは、第１の制御電源回路３０の出力側に接続されており、第１の制御電源回路３０の出力電圧ＶＣＣ１を受ける。コンデンサＣは、入力端子１０から入力される交流電圧が停止した場合に、後段の回路に電力供給を継続するために用いられる。コンデンサＣは、例えば電解コンデンサであり、その数は１つに限らず、並列に接続されている２つ以上のコンデンサであってもよい。コンデンサＣの詳細については後述する。
【００４２】
第２の制御電源回路４０は、コンデンサＣの後段に接続されており、コンデンサＣの出力電圧を降圧する。例えば、コンデンサＣの出力電圧が第１の定電圧ＶＣＣ１（例えば、１９Ｖの直流電圧）に等しい場合に、第２の制御電源回路４０は、第１の定電圧ＶＣＣ１を降圧して、第２の定電圧ＶＣＣ２（例えば、５Ｖの直流電圧）を生成する。
【００４３】
第２の制御電源回路４０の一例を具体的に説明する。図３は、本発明の第１実施形態に係る照明点灯装置１における第２の制御電源回路４０の１つの具体例を示す回路図である。図３に示すように、第２の制御電源回路４０は、三端子レギュレータＩＣ３を含み、第１の制御電源回路３０の出力電圧である第１の定電圧ＶＣＣ１（例えば、１９Ｖ）より低い第２の定電圧（例えば、５Ｖ）を出力電圧として生成する。具体的には、三端子レギュレータＩＣ３は、入力端子ＩＮがコンデンサＣに接続されて入力電圧ＶＣＣ１を受け、出力端子ＯＵＴが第２の定電圧ＶＣＣ２を出力し、グラウンド端子ＧＮＤがグラウンドに接続されている。これにより、簡単な回路構成で、制御電圧の降圧及び安定した電圧出力を実現することができる。第２の制御電源回路４０に含まれる部品及びその接続関係は、上記の例に限らず、必要に応じて様々な変更が可能である。例えば、三端子レギュレータＩＣ３の代わりに、他の降圧回路を利用してもよい。
【００４４】
図１に戻って説明を続ける。第１の制御回路５０は、第１の制御電源回路３０の出力電圧（ＶＣＣ１）によって動作し、電圧変換回路２０の制御に用いられる。第１の制御回路５０は、例えばＩＣで構成され、その電源端子が第１の制御電源回路３０の出力側に接続されており、第１の定電圧ＶＣＣ１で電力供給される。また、第１の制御回路５０は、ユーザ操作や、環境に対する検出信号等に応じて、電圧変換回路２０に第１の制御信号を出力し、電圧変換回路２０から光源３へ供給される電圧を変更して光源３の調光等を行う。
【００４５】
例えば、電圧変換回路２０が前述のようにスイッチトランジスタとダイオードとインダクタとを含む降圧チョッパー回路を備える場合に、第１の制御回路５０は、ＰＷＭ信号を第１の制御信号として生成し、電圧変換回路２０のスイッチトランジスタに出力する。生成するＰＷＭ信号のデューティーを変更することにより、スイッチトランジスタのＯＮ/ＯＦＦを制御して光源３の調光設定を変更する。
【００４６】
第２の制御回路６０は、第２の制御電源回路４０の出力電圧（ＶＣＣ２）によって動作し、入力端子１０から入力される交流電圧の入力状態を検出可能である。第２の制御回路６０は、例えば電子機器制御回路７０に対する制御信号を生成可能なマイコンを備える。図１におけるＩＮＴ信号に示すように、当該マイコンは、入力端子１０の端子Ｈから入力される交流電圧の中断を監視し、それに対応する第２の制御信号を生成して電子機器制御回路７０に出力する。例えば、入力端子１０から入力される交流電圧の中断時間が所定時間（例えば、１．７ｓ）以内であると検出した場合に、当該マイコンは、生成する第２の制御信号を変更し、例えば第２の制御信号のハイ/ローレベルを切り替える。これにより、簡単な回路構成で、交流電圧の入力の中断を監視して、対応する制御信号を生成することができる。
【００４７】
ところが、第２の制御回路６０が、入力端子１０から入力される交流電圧の中断を監視する場合に、入力端子１０から入力される交流電圧が停止した後に、第１の制御電源回路３０の出力が停止する。この時、第２の制御回路６０への電力供給のために、コンデンサＣの放電を利用して、第２の制御電源回路４０に入力電圧を供給する。コンデンサＣは、入力端子１０から入力される交流電圧が停止している状態において、所定時間以上の期間内に第２の制御回路６０の動作を維持可能な容量値を有することが好ましい。
【００４８】
図４は、交流電圧が停止した場合におけるコンデンサの出力電圧を模式的に示す波形図である。図４に示すように、時刻ｔ１に、交流電圧の入力が停止し、コンデンサＣの放電を利用して第２の制御電源回路４０を介して第２の制御回路６０に電力を供給し始める。コンデンサＣは放電につれて、その出力電圧は徐々に低下するが、交流電圧の停止後から所定時間（例えば、１．７ｓ）以上の期間内に、その出力電圧が、第２の制御電源回路４０を介して第２の制御回路６０を正常に動作させる最低供給電圧以上であればよい。なお、以上は第２の制御回路６０に電圧ＶＣＣ２（例えば、５Ｖ）を供給して動作させる場合について説明したが、第２の制御回路６０が電圧ＶＣＣ２より低い最低動作電圧（例えば、４．５Ｖ）以上の電圧が供給されれば正常に動作可能な場合がある。この場合、コンデンサＣの放電は、第２の制御回路６０へ上記の最低動作電圧の供給を維持することができればよい。時刻ｔ１から上記の所定時間を経て時刻ｔ２になると、交流電圧の入力が回復する。すると、コンデンサＣの出力電圧が第１の定電圧ＶＣＣ１に戻る。時刻ｔ１から時刻ｔ２までの間に、コンデンサＣの出力電圧が最低供給電圧以上に維持し、第２の制御回路６０が正常に動作可能である。
【００４９】
これにより、電源２の交流電圧の入力が停止した場合にも、所定時間内に第２の制御回路６０の正常動作を維持することができる。これにより、第２の制御回路６０は、電源２の交流電圧が上記の所定時間内に回復したか否かを検出することにより、電源２から入力された交流電圧の中断時間が上記の所定時間以内であることを検出し、それに対応する第２の制御信号を出力することができる。勿論、電源２の交流電圧の入力が停止した場合に、コンデンサＣを利用して第２の制御電源回路４０を介して第２の制御回路６０に電力を供給することに限らず、電池等を追加または電池等に代替してもよい。
【００５０】
電子機器制御回路７０は、電子機器４が接続されており、電子機器４への交流電圧の供給のＯＮ/ＯＦＦ状態を切り替える。図１に示すように、電子機器制御回路７０は、１つの端子が例えば入力端子１０の端子ＬＯＤを介して電子機器４に接続されており、他の１つの端子が入力端子１０の端子Ｈに接続されている。即ち、入力端子１０の端子Ｈは、第１の制御電源回路３０に電力を供給するとともに電子機器制御回路７０に接続される共通端子として、電子機器制御回路７０を介して、電子機器４に接続されている。
【００５１】
また、電子機器制御回路７０はさらに、第２の制御回路６０から出力された第２の制御信号を受け、第２の制御信号に基づいて電子機器４への交流電圧の供給をＯＮ/ＯＦＦさせる。例えば、第２の制御回路６０は、前記のように電源２から入力された交流電圧の中断時間が所定時間以内であると検出した場合に、電子機器制御回路７０に第２の制御信号を出力して、電子機器制御回路７０に電子機器４への交流電圧の供給のＯＮ/ＯＦＦ状態を切り替えさせる。
【００５２】
電子機器制御回路７０の一例を具体的に説明する。図５は、本発明の第１実施形態に係る照明点灯装置１における電子機器制御回路７０の１つの具体例を示す回路図である。図５に示すように、電子機器制御回路７０は、例えばフォトカプラＰＴ１とトライアックＴＲ１を含む。フォトカプラＰＴ１の端子Ｔ１１は、第２の制御電源回路４０の出力側に接続されており、電圧ＶＣＣ２（例えば、５Ｖ）が入力される。フォトカプラＰＴ１の端子Ｔ１３は、第２の制御回路６０に接続されており、第２の制御信号が入力される。フォトカプラＰＴ１の端子Ｔ１４は、トライアックＴＲ１の端子Ｔ２に接続されている。フォトカプラＰＴ１の端子Ｔ１６は、トライアックＴＲ１の端子Ｇに接続されている。また、トライアックＴＲ１の端子Ｔ１は、入力端子１０の端子Ｈに接続されおり、交流電圧が入力されている。トライアックＴＲ１の端子Ｔ２は、インダクタを介して入力端子１０の端子ＬＯＤに接続されており、電子機器４に接続されている。
【００５３】
電子機器制御回路７０の上記の具体例によれば、第２の制御回路６０からフォトカプラＰＴ１の端子Ｔ１３に出力される第２の制御信号がローレベルである場合に、フォトカプラＰＴ１の端子Ｔ１１（ハイレベルＶＣＣ２）と端子Ｔ１３との間の電位差がハイレベルになり、フォトカプラＰＴ１におけるダイオードがＯＮになり、端子Ｔ１４と端子Ｔ１６との間で導通になり、トライアックＴＲ１の端子Ｔ１と端子Ｔ２との間を導通にする。これにより、電子機器制御回路７０における、入力端子１０に接続されている一端と電子機器４に接続されている一端との間で導通になり、入力端子１０の端子Ｈは、トライアックＴＲ１とインダクタを介して入力端子１０の端子ＬＯＤに導通する。この場合に、電子機器４は、交流電圧が入力されて動作する。
【００５４】
また、第２の制御回路６０からフォトカプラＰＴ１の端子Ｔ１３に出力される第２の制御信号がハイレベルである場合に、フォトカプラＰＴ１の端子Ｔ１１（ハイレベルＶＣＣ２）と端子Ｔ１３との間の電位差がローレベルになり、フォトカプラＰＴ１におけるダイオードがＯＦＦになり、端子Ｔ１４と端子Ｔ１６との間で導通が停止する。トライアックＴＲ１は動作が停止し、端子Ｔ１と端子Ｔ２との間で導通が停止する。これにより、電子機器制御回路７０における、入力端子１０に接続されている一端と電子機器４に接続されている一端との間が遮断になり、入力端子１０の端子Ｈと端子ＬＯＤとの接続が遮断される。この場合に、電子機器４への電力供給が遮断され、電子機器４の動作が停止する。
【００５５】
例えば、第２の制御回路６０は、入力端子１０から入力される交流電圧の中断時間が所定時間以内であると検出した場合に、電子機器制御回路７０のフォトカプラＰＴ１に出力する第２の制御信号のハイ/ローレベルを切り替えて、フォトカプラＰＴ１のＯＮ/ＯＦＦ状態を切り替えることにより、電子機器制御回路７０のトライアックＴＲ１のＯＮ/ＯＦＦ状態を切り替えて、電子機器４への交流電圧の供給のＯＮ/ＯＦＦ状態を切り替える。電子機器制御回路７０の上記の具体例によれば、第２の制御回路６０の制御信号に基づき電子機器４への交流電圧の供給のＯＮ/ＯＦＦ状態を切り替えることができ、さらに、フォトカプラＰＴ１を利用して、電子機器制御部分と光源制御部分とを隔離することができる。
【００５６】
交流電圧の入力の中断に基づき電子機器４への電力供給のＯＮ/ＯＦＦ状態を切り替えることについて、具体的に説明する。図６は、交流電圧の入力の中断に基づき電子機器４への電力供給のＯＮ/ＯＦＦ状態を切り替えることを模式的に示す波形図である。図６に示すように、時刻ｔｏｎ１に、電源２から交流電圧が入力され、第２の制御回路６０に入力される検出信号（ＩＮＴ信号）がハイレベルになる。この時に電子機器制御回路７０がＯＮ状態であり、電子機器４に交流電圧が供給されていると想定する。その後、時刻ｔｏｆｆ１に、電源２からの入力交流電圧が停止し、検出信号がローレベルになり、第２の制御回路６０は、検出信号が所定時間（例えば、１．７ｓ）内にハイレベルになったか否か、即ち、電源２からの入力交流電圧が所定時間内に回復したか否かを監視する。
【００５７】
電源２からの入力交流電圧がその後の時刻ｔｏｎ２に回復し、且つ、ｔｏｆｆ１とｔｏｎ２との間隔が上記の予定時間（例えば、１．７ｓ）より短いと想定する。よって、第２の制御回路６０は、電子機器制御回路７０に第２の制御信号を出力し、電子機器制御回路７０にＯＮ状態からＯＦＦ状態に切替させ、電子機器４への交流電圧の供給が遮断される。
【００５８】
電源２からの入力交流電圧がその後の時刻ｔｏｆｆ２に停止して、その後の時刻ｔｏｎ３に回復し、且つ、ｔｏｆｆ２とｔｏｎ３との間隔が上記の予定時間（例えば、１．７ｓ）より短いと想定する。よって、第２の制御回路６０は、電子機器制御回路７０に第２の制御信号を出力し、電子機器制御回路７０にＯＦＦ状態からＯＮ状態に切替させ、電子機器４への交流電圧の供給が導通される。
【００５９】
ここで、電源２は、例えば壁スイッチとしての操作部（図示せず）に接続され、電源２から入力端子１０への入力交流電圧が、ユーザによる操作部への操作に応じてＯＮ/ＯＦＦになることが可能である。例えば、壁スイッチがユーザに押圧されている時には、電源２から入力端子１０への入力交流電圧がＯＦＦになる。その後、ユーザによる操作の終了に応じて壁スイッチが戻り、電源２から入力端子１０への入力交流電圧が再びＯＮになる。即ち、ユーザによる壁スイッチへの１回の操作に応じて、電源２から入力端子１０への入力交流電圧が、ある程度の時間で中断することになる。ここで、ユーザの操作習慣等に応じて、任意の所定時間（例えば、１．７ｓ）を適切に設定し、入力交流電圧の当該所定時間以下の中断を、操作部へのユーザ操作によるものであると判断してもよい。これにより、入力された交流電圧の中断時間が所定時間以内であることを監視することで、ユーザ操作に応じて電子機器４に電力を供給するか否かを切り替えることができる。
【００６０】
例えば、電子機器４がファンである場合に、電子機器制御回路７０は、ユーザ操作に応じて、ファンを動作又は停止させるように、ファンへの交流電圧の供給のＯＮ/ＯＦＦ状態を切り替えることができる。これにより、電源２に対する簡単なスイッチ操作に応じてファンを動作又は停止させることができ、利便性の向上に繋がる。
【００６１】
本実施形態の照明点灯装置１及び照明装置１００によれば、リニアレギュレータ回路と、コンデンサと、コンデンサの出力電圧に対する降圧回路等との組み合わせを利用し、回路構成の共通化及び連携により、光源３に対する制御回路と電子機器４に対する制御回路とを含む複数の制御回路に制御電圧を提供するとともに、電源２に対する簡単なスイッチ操作に応じて電子機器４を動作又は停止させることができる。
【００６２】
従来技術において、補助トランスやフライバック回路、ＩＰＤ回路等を利用して制御回路に制御電圧を供給する。しかし、これらの態様の回路構成が複雑になり、ＥＭＣが悪く、基板における実装スペースも比較的に大きい。本実施形態の照明点灯装置１及び照明装置１００は、上記の従来技術に比べて、部品コストの低減や、消費電力の低減、装置サイズの小型化を実現することができる。
【００６３】
（第２実施形態）
本実施形態において、上記第１実施形態に加え、第１の制御電源回路３０の前段に整流回路８０を追加する。なお、第１実施形態と同様又は均等な構成について、説明を省略または簡単にする。
【００６４】
図７は、本発明の第２実施形態に係る照明点灯装置１Ａ及び照明装置１００の基本構成を模式的に示す回路ブロック図である。図７に示すように、本実施形態の照明点灯装置１Ａは、第１実施形態の照明点灯装置１に対し、入力端子１０の後段に、入力される交流電圧を整流する整流回路８０を追加する点で異なる。整流回路８０は、従来の各種の回路構成を利用可能であり、例えば全波波形を生成する全波整流回路である。また、図７に整流回路８０が入力端子１０の端子Ｎ、Ｈの各々の出力端に接続されている例を示しているが、これに限らず、回路の干渉耐性を向上させるように、入力端子１０と整流回路８０との間にフィルター回路等を接続してもよい。
【００６５】
整流回路８０の出力側に、第１の制御電源回路３０が接続されている。第１の制御電源回路３０は、整流回路８０で整流された直流電圧から制御電圧を生成する。これにより、整流された直流電圧から、後段の制御回路に電力を供給する制御電圧を生成することができる。
【００６６】
また、整流回路８０の出力側に、電圧変換回路２０が接続されている。これにより、第１実施形態で説明した、電圧変換回路２０に整流回路を設ける必要がある場合に、本実施形態では、電圧変換回路２０が整流回路８０からの整流後の直流電圧を利用可能であるので、電圧変換回路２０に別途整流回路を設ける必要がなく、回路構成をさらに減縮した。
【００６７】
（第３実施形態）
本実施形態において、上記第１実施形態又は第２実施形態に加え、第３の制御信号を追加する。なお、第１実施形態又は第２実施形態と同様又は均等な構成について、説明を省略または簡単にする。
【００６８】
図８は、本発明の第３実施形態に係る照明点灯装置１Ｂ及び照明装置１００の基本構成を模式的に示す回路ブロック図である。図８に示すように、本実施形態の照明点灯装置１Ｂは、第１実施形態の照明点灯装置１に対し、第２の制御回路６０Ｂが、電子機器制御回路７０に第２の制御信号を出力するだけではなく、第１の制御回路５０Ｂに第３の制御信号を出力する点で異なる。第１の制御回路５０Ｂは、入力された第３の制御信号に基づいて、第１の制御信号を生成して電圧変換回路２０に出力する。本実施形態は、第１実施形態だけではなく、本発明における他の実施形態にも適用可能である。
【００６９】
例えば、第２の制御回路６０Ｂは、人検出センサ又は照度センサ（図示せず）の検出信号を受け、それに対応する第３の制御信号を出力し、第１の制御回路５０Ｂは、第３の制御信号に基づいて、第１の制御信号におけるＰＷＭのデューティーを変更する。例えば、人検出センサにより周りに人が存在すると検出された場合、又は照度センサにより照度が低すぎると検出された場合に、上記の制御に基づいてＰＷＭのデューティーを上げて、光源３の明るさが高くなるように調光する。これにより、他の検出信号に基づいて光源３を制御することができる。
【００７０】
（第４実施形態）
本実施形態において、照明装置１００の内部の配置レイアウトの一例を説明する。なお、本実施形態は、上記の第１実施形態〜第３実施形態のいずれかに適用可能であり、回路構成について上記の第１実施形態〜第３実施形態のいずれかを参照可能であり、説明は省略する。
【００７１】
図９は、本発明の第４実施形態に係る照明装置１００の内部の配置レイアウトを示す模式図である。図９において、照明装置１００が配置された壁面に直交する方向から照明装置１００を観察し、照明装置１００のカバー（図示せず）及び光源３（点線で示す）等の他の部品が取り外されている。図９に示すように、照明点灯装置１の回路構成が従来よりも減縮され、サイズが小さくなるので、照明点灯装置１が電子機器４（例えば、ファン）とともに、照明装置１００が配置された壁面に平行する同一の平面に配置されても、電子機器４の十分な配置スペースを確保することができる。これにより、電子機器４の配置スペースを確保したうえで、照明装置１００の全体のサイズを小さくすることができる。
【００７２】
以上、本発明の幾つかの実施形態を説明したが、本発明は、上記実施形態に限らず、以下のような変更が可能である。
【００７３】
上記各実施形態において、光源３がＬＥＤ発光素子からなる例を説明した。しかし、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子、その他の固体発光素子を用いてもよい。
【００７４】
その他、各実施形態に対して当業者が思いつく各種変形を施して得られる形態や、本発明の趣旨を逸脱しない範囲で各実施形態における構成要素及び機能を任意に組み合わせることで実現される形態も本発明に含まれる。
【符号の説明】
【００７５】
１、１Ａ、１Ｂ  照明点灯装置、２  電源、３  光源、４  電子機器、１０  入力端子、２０  電圧変換回路、３０  第１の制御電源回路、Ｃ  コンデンサ、４０  第２の制御電源回路、５０、５０Ｂ  第１の制御回路、６０、６０Ｂ  第２の制御回路、７０  電子機器制御回路、８０  整流回路、１００  照明装置
【図１】
2018107111.tif 000003
【図２】
2018107111.tif 000004
【図３】
2018107111.tif 000005
【図４】
2018107111.tif 000006
【図５】
2018107111.tif 000007
【図６】
2018107111.tif 000008
【図７】
2018107111.tif 000009
【図８】
2018107111.tif 000010
【図９】
2018107111.tif 000011